(57)【要約】【課題】  構造が簡単で、足裏を空気が強く吹き付け、外部から水や土等が浸入せず、足の蒸れを防止する履物を提供する。【解決手段】  弾性体の底板１の上面に凹部２を設け、通気のため多数の小孔５を設けた中敷４の周縁部を凹部２の環状周縁部３の上面に接着固定して、凹部２を空気室とし、着用して歩行することにより、中敷４により環状周縁部３の押圧とその解放を繰り返し、その繰り返しで環状周縁部３が収縮と復元を繰り返して凹部２の空気室の容積が変化し、中敷４の小孔５より空気が噴出と流入を繰り返すことを可能とする。その空気の噴出で、空気が足裏に吹き付けて、足の蒸れを防止する。  底板１の凹部２は、底板１の上面に弾性体の環状体を接着して形成してもよい。【選択図】        図１
2005052382.tif 000002
【特許請求の範囲】
【請求項１】
弾性体の底板の上面に凹部を設け、通気のための多数の小孔を設けた中敷の周縁部を前記凹部の環状周縁部の上面に接着固定して前記凹部を空気室としてなり、  着用して歩行することにより、前記中敷により前記環状周縁部の押圧と、その押圧解放を繰り返し、その繰り返しで環状周縁部が収縮、復元を繰り返し、前記凹部の空気室の容積が変化して前記中敷の小孔より空気が噴出、流入を繰り返えすことを可能とする履物。  
【請求項２】
底板の上面周縁に弾性体よりなる環状体を接着固定して、前記底板上面に凹部を形成し、通気のための多数の小孔を設けた中敷の周縁部を、前記環状体の上面に接着固定して前記凹部を空気室としてなり、
着用して歩行することにより、前記中敷により前記環状体の押圧とその押圧の解放を繰り返し、その繰り返しで環状体が収縮、復元を繰り返し、前記凹部の空気室の容積が変化して前記中敷の小孔より空気が噴出、流入を繰り返すことを可能とする履物。
【発明の詳細な説明】
【技術分野】
【０００１】
この発明は、足の蒸れない履物に関するものである。
【背景技術】
【０００２】
従来、足の蒸れない靴として、底板の上面に凹部を、ヒール部に有底の横孔を設け、それら凹部と横孔とを縦孔で連通させ、底板の上面の凹部を通気孔を設けた中敷が覆い、前記縦孔の位置を避けて凹部内で弾性体により中敷を支えた構成のものがある（特許文献１参照）。
【特許文献１】特開２００２−３４５５０３（請求項、実施の形態、図面）
【発明の開示】
【発明が解決しようとする課題】
【０００３】
従来の上記靴は、歩行により足が中敷を押して底板の凹部の容積を圧縮し、凹部内の空気を中敷の貫通孔より噴出させて足裏に吹き付けることを目的とするものであるが、構造が複雑で、中敷を押圧してもヒール部の横孔と凹部と連通する縦孔からヒール部外へも空気が吹き出すので、中敷の貫通孔より噴出する空気の量が少なく、勢いも弱いので、足の蒸れ防止の効果も弱い。
【０００４】
また、足による中敷への押圧が解除されると、ヒール部の横孔から縦孔を通って空気が凹部へ流入するが、その際に雨水や水溜まりの水が凹部へ流入し、中敷の貫通孔を通じて中敷上面へ噴出し、足裏を濡らすおそれがある。
また、横孔や縦孔にヒール外から土やほこりが浸入し、孔が詰まって空気の流通が阻害されるおそれがある。
【０００５】
この発明は、構造が簡単で、足裏を空気が強く吹き付け、外部から水や土等が浸入せず、足の蒸れを防止する履物を提供することを目的とする。
【課題を解決するための手段】
【０００６】
履物の、弾性体よりなる底板の上面に凹部を設け、通気のための多数の小孔を設けた中敷の周縁部を前記凹部の環状周縁部の上面に接着固定して前記凹部を空気室としてなり、  着用して歩行することにより、前記中敷により前記環状周縁部の押圧と、その押圧解放を繰り返し、その繰り返しで環状周縁部が収縮、復元を繰り返し、前記凹部の空気室の容積が変化して前記中敷の小孔より空気が噴出、流入を繰り返えすことを可能とする。
【０００７】
履物の底板の上面周縁に弾性体よりなる環状体を接着固定して、前記底板上面に凹部を形成し、通気のための多数の小孔を設けた中敷の周縁部を、前記環状体の上面に接着固定して前記凹部を空気室としてなり、
着用して歩行することにより、前記中敷により前記環状体の押圧とその押圧の解放を繰り返し、その繰り返しで環状体が収縮、復元を繰り返し、前記凹部の空気室の容積が変化して前記中敷の小孔より空気が噴出、流入を繰り返すことを可能とする。
【発明の効果】
【０００８】
この発明は、構造簡単で安価に出来、歩行による中敷の押圧で凹部の環状周縁が収縮と復元を繰り返して凹部の空気室の空気の噴出・流入を繰り返す。凹部の容積が圧縮されただけ空気が全部中敷の貫通孔から足裏に吹き付け、風力が強く、蒸れ防止効果が大きい。  水や土等が中敷上へ浸入することがなく快適に使用することができる。
【発明を実施するための最良の形態】
【０００９】
図１に、示すように、伸縮復元力のある弾性体よりなる底板１の上面に、凹部２を設ける。凹部２の周囲は環状周縁部３を形成する。
【００１０】
環状周縁部３に、通気のための多数の小孔５を設けた中敷４を接着固定して凹部２を覆う。凹部２は小孔５により外部に通気する空気室を形成する。
【００１１】
中敷４は、材質は限定しないが、余り撓まないもの、例えばポリプロピレン、非発泡のＥＶＡ等合成樹脂製のものを用いるのが好ましい。
【００１２】
図示省略したが、底板１に胛部や踵部等を取り付けで靴を形成し、或いはベルトを取り付けてサンダルを形成する。
【００１３】
この履物を着用して歩行すると、環状周縁部３が弾性を有するので、中敷４による環状周縁部３の押圧と解放の繰り返しで、環状周縁部の収縮と復元を繰り返す。それにより、凹部２の空気室の容積を変化させる。  押圧されて容積が小さくなると、空気が中敷４の小孔５より噴出して足に吹き付ける。押圧が解放された部分の環状周縁部３が復元して凹部２の空気室の容積が大きくなり、中敷４の小孔５より空気が空気室に流入する。
歩行により空気が足に吹き付け、靴の場合には靴中を空気が流通するので、足が蒸れない。
【実施例】
【００１４】
図２に示すように、底部１ａの上面周縁に環状体３ａを接着固定し、環状周縁部としてもよい。
この環状体３ａは、伸縮復元力のある弾性体で構成する。環状体３ａの環状内が凹部２ａを形成する。
環状体３ａの上面に中敷４を接着固定する。凹部２ａが空気室となる。
胛部、踵部またはベルト６を取り付けて履物とする。着用して歩行すると中敷が環状体３ａの押圧とその解放を繰り返すことにより環状体３ａの圧縮と復元を繰り返し、空気室の容積が変化し、中敷４の小孔５より空気が流出流入を繰り返すことは先の実施の形態と同じである。
【００１５】
鼻緒ぞうりの場合には、図３に示すように、環状凸縁３または環状体３ａの内方向へ膨出部７を設け、そこで鼻緒用の孔８を設け、図示省略したが中敷４にも孔８に対応して孔を設け、鼻緒を取り付ければよい。
【図面の簡単な説明】
【００１６】
【図１】履物の断面図である。
【図２】（Ａ）は中敷を除いた履物の斜視図であり、（Ｂ）は履物の断面図である。
【図３】他の実施の形態の、鼻緒ぞうり用の底部の斜視図である。
【符号の説明】
【００１７】
１  底部
２  凹部
３  環状周縁部
４  中敷
５  小孔
６  ベルト
７  膨出部
８  孔
【図１】
2005052382.tif 000003
【図２】
2005052382.tif 000004
【図３】
2005052382.tif 000005